(57)【要約】【課題】放射線画像撮影時の後方散乱線が撮影画像に及ぼす悪影響を防止する放射線画像撮影装置を提供すること。【解決手段】輝尽性蛍光体層と、該輝尽性蛍光体層の放射線照射面の反対側に配置される放射線遮蔽部材とからなる放射線画像撮影系を有する放射線画像撮影装置において、該輝尽性蛍光体層と該放射線遮蔽部材の距離が１ｍｍ以内であることを特徴とする放射線画像撮影装置。【選択図】　　　　図２
2004145073.tif 000002
【特許請求の範囲】
【請求項１】
輝尽性蛍光体層と、該輝尽性蛍光体層の放射線照射面の反対側に配置される放射線遮蔽部材とからなる放射線画像撮影系を有する放射線画像撮影装置において、該輝尽性蛍光体層と該放射線遮蔽部材の距離が１ｍｍ以内であることを特徴とする放射線画像撮影装置。
【請求項２】
放射線遮蔽部材が、鉛シート、銅シートまたはタングステンシートであることを特徴とする請求項１に記載の放射線画像撮影装置。
【請求項３】
放射線遮蔽部材が、少なくとも片面が樹脂フィルムでラミネートされていることを特徴とする請求項１または２に記載の放射線画像撮影装置。
【請求項４】
輝尽性蛍光体層が、放射線遮蔽部材または少なくとも片面が樹脂フィルムでラミネートされた放射線遮蔽部材と接着していることを特徴とする請求項１〜３のいずれか１項に記載の放射線画像撮影装置。
【請求項５】
輝尽性蛍光体層が、放射線遮蔽部材または少なくとも片面が樹脂フィルムでラミネートされた放射線遮蔽部材上に塗設されていることを特徴とする請求項１〜４のいずれか１項に記載の放射線画像撮影装置。
【請求項６】
鉛シートの厚みが２０μｍ以上であることを特徴とする請求項２に記載の放射線画像撮影装置。
【請求項７】
銅シートの厚みが２０μｍ以上であることを特徴とする請求項２に記載の放射線画像撮影装置。
【請求項８】
銅シートが柱状構造を有する銅から構成されるものであることを特徴とする請求項７に記載の放射線画像撮影装置。
【請求項９】
柱状構造を有する銅が電解液法により作製されたものであることを特徴とする請求項８に記載の放射線画像撮影装置。
【発明の詳細な説明】
【０００１】
【発明の属する技術分野】
本発明は、放射線画像撮影時の放射線後方散乱線が撮影画像に及ぼす悪影響を防止する放射線画像撮影装置に関する。
【０００２】
【従来の技術】
従来より、人体等の放射線画像を記録する記録媒体として放射線写真フィルムが知られている。また同様の目的に使用される記録媒体として、放射線画像変換パネル（蓄積性蛍光体シート、以下単にパネルともいう）、即ち蓄積性蛍光体層を有する放射線画像変換パネルも知られている（例えば、特許文献１、２参照。）。上記の蓄積性蛍光体とは、放射線（放射線、α線、β線、γ線、紫外線、電子線等）を照射するとそのエネルギーの一部を蓄積し、その後可視光等の励起光の照射を受けると蓄積しているエネルギーに応じて輝尽発光を示す蛍光体である。
【０００３】
このパネルに、例えば、被写体を透過した放射線を照射する等により、その被写体の放射線画像を撮影または記録した後、このパネルを励起光で二次元走査し、その際にこのパネルから発せられる輝尽性発光光を光電的に検出すれば、放射線画像情報を示す電気的画像情報が得られる。
【０００４】
上述したパネルや放射線写真フィルムは、通常遮光性のカセッテまたはマガジンに収納して取り扱われる。カセッテは、パネル等のパネル状またはシート状の画像記録媒体を１枚ずつ収納するものであり、通常は少なくとも一部に記録媒体を出し入れするための開口部が設けられた函体と、この函体の開口部を開閉する蓋体とから構成され、さらにこの函体の画像記録媒体の背面と対向する面の全面に、放射線の後方散乱防止のための鉛シートが貼付されている。
【０００５】
そして、このようなカセッテを用いて放射線画像の撮影または記録を行う場合、放射線画像の記録された上記パネルは、露光を避けるためカセッテに収納されたままの状態で暗室に搬入されるのが一般的である。
【０００６】
放射線写真フィルムの場合には、カセッテ内に放射線写真フィルムが増感紙とともにスポンジにより支持される。パネルの場合も増感紙がないだけでほぼ同等な構造となる。
【０００７】
入射放射線エネルギーの大部分は、放射線写真フィルムまたは増感紙に吸収される。しかし、残りのエネルギーは放射線写真フィルムまたは増感紙を通過する。この通過放射線（以下、一次透過放射線という）を外部に漏洩させない、または安全規格値まで減衰させるために、スポンジの背面に鉛板が貼られている。
【０００８】
しかし、この鉛板は次のような問題を発生する。鉛板は漏洩放射線の防止または低減を第一の目的としてデザインされている。その一方で、鉛板からは放射線写真フィルムまたは増感紙及びスポンジを透過した放射線が鉛板に当たって放射線写真フィルムまたは増感紙側へ反射する、いわゆる後方散乱線が発生する。放射線写真フィルムは、被写体を透過した放射線とこの後方散乱線とに反応することになり、被写体を透過した放射線による画像が後方散乱線の影響を受けることになる。この結果、透過画像にボケが生じて画像の分解能が低下する問題点があった。
【０００９】
パネルの場合は、輝尽性蛍光体の感度が極めて高いため、輝尽性蛍光体層の後方で発生する後方散乱線によって正確な画像情報の蓄積が妨げられる問題点があった。
【００１０】
【特許文献１】
特開昭５５−１２４２９号公報
【００１１】
【特許文献２】
特開昭５６−１１３９５号公報
【００１２】
【発明が解決しようとする課題】
本発明の目的は、放射線画像撮影時の後方散乱線が撮影画像に及ぼす悪影響を防止する放射線画像撮影装置を提供することである。
【００１３】
【課題を解決するための手段】
本発明の上記目的は下記構成により達成された。
【００１４】
１．輝尽性蛍光体層と、該輝尽性蛍光体層の放射線照射面の反対側に配置される放射線遮蔽部材とからなる放射線画像撮影系を有する放射線画像撮影装置において、該輝尽性蛍光体層と該放射線遮蔽部材の距離が１ｍｍ以内であることを特徴とする放射線画像撮影装置。
【００１５】
２．放射線遮蔽部材が、鉛シート、銅シートまたはタングステンシートであることを特徴とする上記１に記載の放射線画像撮影装置。
【００１６】
３．放射線遮蔽部材が、少なくとも片面が樹脂フィルムでラミネートされていることを特徴とする上記１または２に記載の放射線画像撮影装置。
【００１７】
４．輝尽性蛍光体層が、放射線遮蔽部材または少なくとも片面が樹脂フィルムでラミネートされた放射線遮蔽部材と接着していることを特徴とする上記１〜３のいずれか１項に記載の放射線画像撮影装置。
【００１８】
５．輝尽性蛍光体層が、放射線遮蔽部材または少なくとも片面が樹脂フィルムでラミネートされた放射線遮蔽部材上に塗設されていることを特徴とする上記１〜４のいずれか１項に記載の放射線画像撮影装置。
【００１９】
６．鉛シートの厚みが２０μｍ以上であることを特徴とする上記２に記載の放射線画像撮影装置。
【００２０】
７．銅シートの厚みが２０μｍ以上であることを特徴とする上記２に記載の放射線画像撮影装置。
【００２１】
８．銅シートが柱状構造を有する銅から構成されるものであることを特徴とする上記７に記載の放射線画像撮影装置。
【００２２】
９．柱状構造を有する銅が電解液法により作製されたものであることを特徴とする上記８に記載の放射線画像撮影装置。
【００２３】
以下、本発明を詳細に説明する。
本発明者は、放射線画像撮影時の後方散乱線が撮影画像に及ぼす影響について詳細に検討した結果、輝尽性蛍光体層と、該輝尽性蛍光体層の放射線照射面の反対側に配置される放射線遮蔽部材とからなる放射線画像撮影系を有する放射線画像撮影装置において、該輝尽性蛍光体層と該放射線遮蔽部材の距離を１ｍｍ以内とすることによって、放射線画像撮影時の後方散乱線が撮影画像に及ぼす悪影響を防止することができることを見出した。
【００２４】
これらの効果に対する本発明における輝尽性蛍光体層と放射線遮蔽部材の距離を１ｍｍ以内とすることの機能については十分解明されてはいないが、輝尽性蛍光体層と放射線遮蔽部材の距離が近接しているため、後方散乱線が広範囲に広がる前に再度輝尽性蛍光体層に吸収され、画像情報として利用されるものと考えられる。
【００２５】
上記課題を解決するために請求項１記載の発明は、放射線を吸収する放射線遮蔽部材が輝尽性蛍光体層から１ｍｍ以内の距離に設けられていることを特徴とする。
【００２６】
ここで照射された放射線を吸収する放射線遮蔽部材としては、例えば、鉛、タングステン、銅、ニッケル、鉄等を挙げることができ、原子番号が２０以上の金属を用いることができる。また、放射線遮蔽部材である金属シートは１種の金属から構成されていてもよいし、２種以上の金属からなる合金によって構成されていてもよい。
【００２７】
請求項１記載の発明によれば、入射した放射線は金属シートに吸収されるとともに金属シートによって散乱されて散乱線を発生する。しかし、輝尽性蛍光体層と金属シートの距離が１ｍｍ以内であるため、散乱線は放射線画像のコントラストを悪化させる程広範囲に広がる前に、再度輝尽性蛍光体層に吸収され画像情報として利用される。
【００２８】
また、放射線遮蔽部材を透過して、周辺の部材からの散乱により放射線画像撮影装置に戻ってくる放射線に対しても、同様にコントラストの悪化を効果的に防止できる。
【００２９】
従って、本発明によれば、必要とされる放射線吸収量を満たした上で、散乱線によるコントラストの悪化を低減した放射線画像を得ることができる。
【００３０】
本発明の放射線画像撮影装置によって、放射線の外部への漏洩を防ぐとともに、放射線画像記録層への後方散乱線の影響を除去することができ、放射線画像の画質を格段に向上させることができる。
【００３１】
請求項２記載の発明は、放射線を遮蔽する放射線遮蔽部材が鉛、銅またはタングステンであることを特徴とする。
【００３２】
鉛や銅は放射線の吸収量が多く、本発明に使用することで効果的に散乱線を除去できる。
【００３３】
請求項３記載の発明によれば、放射線遮蔽部材である金属シートは少なくとも片面が樹脂フィルムでラミネートされている。一般に金属シートは取り扱いが困難であり、折れ等の欠陥が発生しやすい。このため、ＰＥＴ等の樹脂フィルムでラミネートしておくことで、剛性が向上し取り扱い性が向上する。
【００３４】
請求項４または５記載の発明によれば、輝尽性蛍光体層は放射線遮蔽部材または少なくとも片面が樹脂フィルムでラミネートされた放射線遮蔽部材と接着またはその上に塗設されている。これにより、輝尽性蛍光体層と放射線遮蔽部材との距離を効果的に短縮化できる。
【００３５】
また、本発明の構成により、放射線の漏洩を防止するとともに、後方散乱線による放射線画像記録層への影響を除去することができ、放射線画像の画質の格段の向上を図ることができる。
【００３６】
請求項６または７記載の発明は、放射線が照射される側と反対側に配置される金属シートの厚みが２０μｍ以上であることを特徴とする。
【００３７】
金属シートの厚みが２０μｍ未満であると放射線の吸収量が不足し本発明の効果は低くなり、２０μｍ以上であれば本発明の効果は高くなる。ただし、Ｘ線の外部への漏洩を防止するために金属シートの厚みが１００μｍ以下の場合は、カセッテの背面側に不足分の放射線遮蔽部材を追加することが望ましい。
【００３８】
カセッテの背面側に不足分の放射線遮蔽部材を追加しても、本発明に従い輝尽性蛍光体層から１ｍｍ以内に２０μｍ以上の放射線遮蔽部材を設置すればコントラストの悪化は防止される。
【００３９】
請求項８記載の発明は、銅シートが柱状構造を有する銅から構成されるものであることを特徴とする。ここで、柱状構造を有する銅から構成される金属シートは、電解液法によって製作することができる。また、電解液法とは、電解液に溶解させた銅を回転ドラムに電着させ、回転ドラムから銅を剥離することによって製作することができる。
【００４０】
このため、放射線が照射される側に配置される金属シートに入射する放射線のうち、柱状方向に平行に入射する放射線はこの放射線が照射される側に配置される金属シートを通過し、柱状方向と交差する方向に入射する放射線はこの金属シートに吸収される。従って、柱状方向に平行な放射線はこの放射線が照射される側に配置される金属シートによって散乱されることがない。従って、金属シートによる横方向の散乱線の発生を防ぐことができる。
【００４１】
また、金属シートは柱状構造を有しているため、その表面に凹凸を備えている。このため、放射線が照射される側に配置される金属シートに柱状方向と交差する方向に入射する放射線によって散乱線が発生したとしても、この散乱線は、柱状構造に形成された凹凸のため、再び放射線が照射される側に配置される金属シートに吸収される。よって、散乱線を除去することができる。
【００４２】
また、この柱状構造を有する金属シートを通過した放射線は、カセッテ背面内に追加の放射線遮蔽部材を設けておくことで効果的に吸収される。
【００４３】
従って、以上のことより、必要とされる放射線の吸収量を満たした上で、散乱線の発生を低減することができる。
【００４４】
また、この放射線遮蔽部材を放射線画像記録媒体の放射線が照射される面と反対側に配置することによって、放射線の外部への漏洩を防ぐとともに、放射線画像への後方散乱線の影響を防ぐことができ、放射線画像の画質の格段の向上を図ることができる。
【００４５】
【発明の実施の形態】
以下、図面を参照して本発明に用いられる放射線遮蔽部材及びこの放射線遮蔽部材を備えた放射線画像記録媒体にかかる第一の実施の形態から第三の実施の形態についてそれぞれ詳細に説明する。
【００４６】
また、第一の実施の形態から第三の実施の形態において、放射線画像記録媒体を、被写体を透過させた放射線を輝尽性蛍光体シート（放射線画像記録層）に照射して画像情報を蓄積させる放射線画像情報記録再生方式において使用されるカセッテとして説明することとする。
【００４７】
〈第一の実施の形態〉
以下、図１及び図２を参照して本発明の第一の実施の形態について説明する。
【００４８】
まず、放射線画像記録媒体としてのカセッテ１０について説明する。カセッテ１０は、平面形状が長方形状を呈するものであり、図２に示すように、ケーシング１１、スライド板１２、及び上述した輝尽性蛍光体シート２０、放射線遮蔽部材５０とを備えている。
【００４９】
ケーシング１１は、輝尽性蛍光体シート２０を収納する収納部１１ａを備え、撮影時や搬送時において輝尽性蛍光体シート２０が損傷するのを防止するとともに、撮影後に輝尽性蛍光体シート２０に光が照射されることにより、蓄積された画像情報が消滅するのを防止するものである。
【００５０】
また、放射線撮影は、この収納部１１ａに輝尽性蛍光体シート２０を収納した上で、被写体３０及びケーシング１１の前面板１１ｂを透過させた放射線を輝尽性蛍光体シート２０に照射して行う（図２参照）。このため、ケーシング１１の前面板１１ｂは被写体３０を透過した放射線が輝尽性蛍光体シート２０に照射されるのを阻害しないように、放射線透過率が高い材料で製作するのが好ましく、同様の理由から、この前面板１１ｂの厚さは１〜５ｍｍ程度とするのが好ましい。
【００５１】
また、ケーシング１１は輝尽性蛍光体シート２０の物理的損傷を防止する目的で、剛性の高い材料で製作されるのが好ましい。従って、本実施の形態においては、放射線透過率が高く、かつ、剛性の高い材料である炭素繊維強化樹脂により前面板１１ｂを構成している。
【００５２】
スライド板１２は、図２に示すように、一方の面（ケーシング１１の前面板１１ｂ側に配置される面）に後述する放射線遮蔽部材５０を固定した状態で、ケーシング１１の収納部１１ａ内に収納されるものである。本実施の形態においては、ケーシング１１の側面内側にガイド溝１１ｃを設け、このガイド溝１１ｃにスライド板１２の端部１２ａを摺動可能に嵌合させることによって、スライド板１２がケーシング１１に対して引出・収納可能とされている。
【００５３】
また、スライド板１２の材料は、輝尽性蛍光体シート２０の物理的損傷を防止できる程度の剛性を有するものであればいかなるものでもよく、各種金属、合成樹脂、繊維強化樹脂等を挙げることができる。
【００５４】
輝尽性蛍光体シート２０は、図２に示すように、シート状支持体２１に輝尽性蛍光体２２を積層したもので、輝尽性蛍光体２２は照射された放射線エネルギーを蓄積し、励起光が照射されると、蓄積された放射線エネルギーに応じて輝尽発光するものである。
【００５５】
輝尽性蛍光体２２としては、米国特許第３８５９５２７号に記載されている希土類付活硫化ストロンチウム系または希土類付活ランタンオキシサルファイド系蛍光体、米国特許第４２３６０７８号に記載されている希土類付活アルカリ土類金属フルオロハライド系蛍光体、特開昭５５−１２１４４号公報に記載されている希土類付活ランタンオキシハライド系蛍光体、特開昭５５−１２１４２号公報に記載されている銅及び／または鉛付活硫化亜鉛系、希土類付活アルミナ・酸化バリウム系またはシリカ・酸化アルカリ土類金属系蛍光体等を挙げることができる。
【００５６】
また、輝尽性蛍光体シート２０は、図示していない固定手段によりスライド板１２の上の放射線遮蔽部材５０に一時的に固定され、スライド板１２のスライド動作に伴ってケーシング１１の収納部１１ａ内に収納される。輝尽性蛍光体シート２０の厚さは蓄積する放射線量、輝尽性蛍光体２２の種類、ケーシング１１の収納部１１ａの高さ等に応じて適宜決めることができる。なお、本実施の形態においては、固定手段として厚さ１ｍｍ以下の両面テープ（図示略）を採用している。
【００５７】
放射線遮蔽部材５０は、図２に示すように、スライド板１２に図示しない固定手段によって固定されている。
【００５８】
放射線遮蔽部材５０は、放射線の吸収率が高い鉛シートからなる金属シート５１と、放射線の吸収率が低く放射線を透過させやすいアルミニウム、紙、木あるいは高分子材料からなるシート状支持体６０とを備えている。
【００５９】
金属シート５１の厚さは、吸収する放射線量に応じて適宜決めることができるが、５０μｍ以下であることが望ましい。また、シート状支持体６０の厚みは５０μｍ以上であると望ましい。
【００６０】
第一の実施の形態によれば、放射線遮蔽部材５０の金属シート５１は放射線を吸収しやすい鉛シートから構成されている。この金属シート５１に入射した放射線は金属シート５１に吸収される。
【００６１】
また、この放射線遮蔽部材５０は輝尽性蛍光体シート２０の放射線が照射される面と反対側に配置されているので、輝尽性蛍光体シート２０等を透過した放射線を外部に漏洩しないとともに、輝尽性蛍光体シート２０への後方で発生する後方散乱線の影響を除去し、放射線画像の画質を格段に向上させることができる。
【００６２】
〈第二の実施の形態〉
次に図１及び図３を参照して、本発明の放射線遮蔽部材７０と、この放射線遮蔽部材７０を備えた放射線画像記録媒体（カセッテ）１０にかかる第二の実施の形態について説明する。なお、上述の第一の実施の形態と同様の構成に関しては、同一符号を付して説明を省略し、特徴のある部分について述べる。
【００６３】
第二の実施の形態において、図３に示す放射線遮蔽部材７０は、第一の実施の形態と異なり、輝尽性蛍光体シート２０に固定されている。
【００６４】
放射線遮蔽部材７０は、少なくとも片面が樹脂フィルム７２でラミネートされた鉛シートからなる金属シート７１と放射線吸収率の低いアルミニウム、紙、木、合成樹脂等からなるシート状支持体６０とを備えている。
【００６５】
また金属シート７１の厚みは１０μｍであり、シート状支持体６０の厚みは５０μｍとなっている。
【００６６】
第二の実施の形態によれば、金属シート７１に入射する放射線は、金属シート７１に吸収される。
【００６７】
〈第三の実施の形態〉
次に図１、図４〜６を参照して、本発明の放射線遮蔽部材８０とこの放射線遮蔽部材８０を備えた放射線画像記録媒体（カセッテ）１０にかかる第三の実施の形態について説明する。なお、上述の第一の実施の形態及び第二の実施の形態と同様の構成に関しては、同一符号を付して説明を省略し、特徴のある部分について述べる。
【００６８】
本第三の実施の形態において、図４に示す放射線遮蔽部材８０は、第一の実施の形態及び第二の実施の形態と同様に、スライド板１２に固定されている。
【００６９】
また、放射線遮蔽部材８０は、銅シートからなる第一の金属シート８１、鉛シートからなる第二の金属シート８２、タングステンからなる第三の金属シート８３と、各金属シート間は放射線吸収率の低いアルミニウム、紙、木、合成樹脂等からなるシート状支持体６０とを備えている。
【００７０】
少なくとも片面が樹脂フィルム７２でラミネートされた第一の金属シート８１は放射線が照射される側に配置され、この第一の金属シート８１と第二の金属シート８２、第三の金属シート８３はそれぞれシート状支持体６０を介して積層されている。また、第一の金属シート８１の厚みは１０μｍであり、第二の金属シート８２及び第三の金属シート８３の厚みはそれぞれ３０μｍ、シート状支持体６０の厚みは５０μｍとなっている。
【００７１】
第一の金属シート８１は、上記したように銅シートから構成されている。この銅シートは、電解液法により製作されたものである。電解液法とは、図４に示すように、電解液１００から回転ドラム１１０に電着させた銅を剥離させて巻き取る方法であり、このように製作された銅シートからなる第一の金属シート８１は図５にその断面を示すように柱状構造８１ａを有している。
【００７２】
第三の実施の形態によれば、第一の金属シート８１は柱状構造８１ａを有する銅シートから構成されている。このため、第一の金属シート８１に入射する放射線のうち、柱状方向に交差する放射線は吸収するが、柱状方向に平行な放射線は透過させる。上述のように、散乱線は金属シート８１に放射線が入射し、放射線が金属シート８１によって散乱することによって生じる。このため、第一の金属シート８１に柱状方向に平行に入射する放射線は散乱せず、第一の金属シート８１による散乱線の発生を低減することができる。
【００７３】
さらに、第一の金属シート８１を透過した放射線は、シート状支持体６０を透過して、第二の金属シート８２に吸収される。また、第一の金属シート８１を透過した放射線が第二の金属シート８２に入射することによって散乱したとしても、この散乱線は第一の金属シート８１の裏面によって吸収される。
【００７４】
さらに、第二の金属シート８２を放射線が透過したとしても、この放射線は第三の金属シート８３に吸収される。また、第三の金属シート８３によって発生した散乱線は第二の金属シート８２の裏面によって吸収される。
【００７５】
よって、以上より、金属シート８１、８２、８３を３層積層することによって必要とされる放射線の吸収量を満たせばよいので、それぞれの金属シート８１、８２、８３の厚みを薄くすることができる。本実施の形態においては、第一の金属シート８１の厚みを第二及び第三の金属シート８２、８３の厚みよりもさらに薄くしている。このため、第一の金属シート８１によって発生する散乱線の量をさらに低減することができる。
【００７６】
また、この放射線遮蔽部材８０が、輝尽性蛍光体シート２０の放射線照射面と反対側に設けられているので、輝尽性蛍光体シート２０への後方散乱線による影響を除去することができ、放射線画像の画質を格段に向上させることができる。
【００７７】
なお、本発明は上記第一の実施の形態から第三の実施の形態に限定されるものではなく、本発明の主旨を逸脱しない範囲において適宜変更可能であるのはもちろんである。
【００７８】
また、第三の実施の形態において、金属シートをシート状支持体６０を介して３層積層させるものとしたが、これに限定されるものではない。
【００７９】
また、第一の実施の形態から第三の実施の形態において、金属シートの厚みは５０μｍ以下、１０μｍあるいは３０μｍであるとしたがこれに限定されるものではない。
【００８０】
それぞれの金属シートの厚みは、５０μｍ以下であり積層されることよって吸収される放射線の量の合計が必要とされる放射線の吸収量を満たすことができれば、適宜変更可能である。
【００８１】
また、シート状支持体６０の厚みは５０μｍであるとしたがこれに限定されるものではない。
【００８２】
また、第一の実施の形態及び第二の実施の形態において、放射線を吸収する金属シートは鉛シートから構成されるものとしたがこれに限定されるものではない。また、第三の実施の形態においては第二の金属シート及び第三の金属シートが鉛シートから形成されるものとしたがこれに限定されるものではない。
【００８３】
それぞれの金属シートは、放射線の吸収率の高い金属あるいは物質から構成されればよく、例えば原子番号２０以上の金属あるいは、実効原子番号２０以上の合金から構成されるものであればよく、また、それぞれの金属シートがそれぞれ違う金属から構成されるものとしてもよい。
【００８４】
なお、ここで実効原子番号２０以上の合金とは、合金を構成する各金属の原子番号をモル比に基づいて平均化した時の原子番号を意味する。例えば、コバルト（Ｃｏ、原子番号２７）と銅（Ｃｕ、原子番号２９）から構成される合金において、コバルトと銅とのモル比が１：１である場合、実効原子番号は２８となる。
【００８５】
【発明の効果】
放射線画像撮影時の後方散乱線が撮影画像に及ぼす悪影響を防止する放射線画像撮影装置を提供することができる。
【図面の簡単な説明】
【図１】本発明の第一の実施の形態にかかる放射線遮蔽部材が収納されるカセッテを示した概略斜視図である。
【図２】図１におけるＡ−Ａ矢視断面図である。
【図３】本発明の第二の実施の形態にかかる放射線遮蔽部材が収納されるカセッテの断面図である。
【図４】本発明の第三の実施の形態にかかる放射線遮蔽部材が収納されるカセッテの断面図である。
【図５】本発明の第三の実施の形態にかかる放射線遮蔽部材の一構成要素としての金属シートの製作方法（電解液法）を説明するための概念図である。
【図６】本発明の第三の実施の形態にかかる金属シートの柱状構造を示すための拡大断面図である。
【符号の説明】
１０　カセッテ
２０　輝尽性蛍光体シート
３０　被写体
５０、７０、８０　放射線遮蔽部材
５１、７１、８１〜８３　金属シート
６０　シート状支持体
８１ａ　柱状構造
【図１】
2004145073.tif 000003
【図２】
2004145073.tif 000004
【図３】
2004145073.tif 000005
【図４】
2004145073.tif 000006
【図５】
2004145073.tif 000007
【図６】
2004145073.tif 000008